(57)【要約】  本発明は、少なくとも100ppmの式(I)  R1OOC-Z-COOR2 (I)(式中、  R1及びR2は、互いに独立してC1〜C20分枝アルキル、C5〜C10シクロアルキル又はC5〜C14アリール若しくはヘテロアリールから選択され、異なっていても同一であってもよく、後者が好ましく、  リンカーZは、二価の脂肪族又は芳香族基、例えばn=120である-(CH2)n-、式(I)、式(II)、式(III)、式(IV)、式(V)、又は式(VI)から選択される)の化合物である洗剤を含む泡形成水性組成物であって、洗剤と消泡剤との比が19:1〜35:1の範囲である、泡形成水性組成物、前記泡形成水性組成物が適用される洗浄方法、並びに洗濯洗剤に関する。2020536155.tif 000010【選択図】なし
2020536155.tif 000002
【特許請求の範囲】
【請求項１】
i)少なくとも2.0g/Lの洗剤、及び
ii)式(I)
R1OOC-Z-COOR2 (I)
(式中、
R1及びR2は、互いに独立してC1〜C20分枝アルキル、C5〜C10シクロアルキル又はC5-C14アリール若しくはヘテロアリールから選択され、異なっていても同一であってもよく、
リンカーZは、二価の脂肪族又は芳香族基、例えばn=1〜20である-(CH2)n-、
【化１】
2020536155.tif 000007
から選択される)
の化合物である少なくとも1種の消泡剤
を含む泡形成水性組成物であって、前記洗剤と前記消泡剤との比が19:1〜35:1の範囲である、泡形成水性組成物。
【請求項２】
前記消泡剤が23〜35mN/mの範囲の表面張力を有する、請求項1に記載の泡形成水性組成物。
【請求項３】
i)少なくとも2.0g/Lの洗剤、及び
ii)23〜35mN/mの範囲の表面張力を有する少なくとも1種の消泡剤
を含む、泡形成水性組成物。
【請求項４】
前記消泡剤が、式(I)
R1OOC-Z-COOR2 (I)
(式中、
R1及びR2は、互いに独立してC1〜C20分枝アルキル、C5〜C10シクロアルキル又はC5-C14アリール若しくはヘテロアリールから選択され、異なっていても同一であってもよく、後者が好ましく、
リンカーZは、二価の脂肪族又は芳香族基、例えばn=1-20である-(CH2)n-、
【化２】
2020536155.tif 000008
から選択される)
の化合物である、請求項3に記載の泡形成水性組成物。
【請求項５】
前記消泡剤が、フタル酸エステル、アジピン酸エステル、シクロヘキサンジカルボン酸エステル又はそれらの混合物から選択される、請求項1から4のいずれか一項に記載の泡形成水性組成物。
【請求項６】
前記消泡剤が、フタル酸ジイソノニル、フタル酸ジ-2-プロピル-ヘプチル、シクロヘキサンジカルボン酸ジイソノニルエステル、アジピン酸ジ-2-エチルヘキシルエステル、アジピン酸ジイソノニルエステル又はそれらの混合物から選択される、請求項1から5のいずれか一項に記載の泡形成水性組成物。
【請求項７】
前記洗剤が、直鎖アルキルベンゼンスルホン酸塩、アルキルエーテル硫酸塩、アルキルスルホン酸塩又はそれらの混合物から選択される、請求項1から6のいずれか一項に記載の泡形成水性組成物。
【請求項８】
請求項1から7のいずれか一項に記載の泡形成組成物から得られる、泡。
【請求項９】
a)請求項1から7のいずれか一項に記載の、少なくとも2.0g/Lの洗剤及び消泡剤を含む泡形成水性組成物を用意するステップ、
b)泡形成が起こるようにステップa)で用意される前記組成物を撹拌する主洗浄サイクルのステップ、並びに
c)前記洗剤濃度が0.7g/L以下に減少するように、ステップb)で得られた前記組成物を希釈するすすぎサイクルのステップ
を含む、洗浄方法。
【請求項１０】
ステップb)で得られる前記泡の体積が、
i)前記主洗浄サイクル中では、消泡剤を何ら含まない同一洗剤濃度の水性組成物と比較して10%を超えて減少せず、
ii)前記すすぎサイクル中では、ステップb)で得られた初期の泡体積と比較して少なくとも80%減少する、
請求項9に記載の洗浄方法。
【請求項１１】
i)95〜99.5wt.-%の洗剤、並びに
ii)0.5〜5.0wt.-%の式(I)
R1OOC-Z-COOR2 (I)
(式中、
R1及びR2は、互いに独立してC1〜C20分枝アルキル、C5〜C10シクロアルキル又はC5〜C14アリール若しくはヘテロアリールから選択され、異なっていても同一であってもよく、
リンカーZは、二価の脂肪族又は芳香族基、例えばn=1〜20である-(CH2)n-、
【化３】
2020536155.tif 000009
から選択される)
の化合物である及び/又は23〜35mN/mの範囲の表面張力を有する、消泡剤を含む、
洗濯洗剤。
【請求項１２】
前記消泡剤が、フタル酸エステル、アジピン酸エステル、シクロヘキサンジカルボン酸エステル又はそれらの混合物から選択される、請求項11に記載の洗濯洗剤。
【請求項１３】
前記消泡剤が、フタル酸ジイソノニル、フタル酸ジ-2-プロピル-ヘプチル、シクロヘキサンジカルボン酸ジイソノニルエステル、アジピン酸ジ-2-エチルヘキシルエステル、アジピン酸ジイソノニルエステル又はそれらの混合物から選択される、請求項11又は12に記載の洗濯洗剤。
【請求項１４】
前記洗濯洗剤が手洗い用の洗濯洗剤である、請求項11から13のいずれか一項に記載の洗濯洗剤。
【発明の詳細な説明】
【技術分野】
【０００１】
本発明は、少なくとも2.0g/Lの洗剤及び式(I)の化合物である少なくとも1種の消泡剤を含む泡形成水性組成物、前記泡形成水性組成物が適用される洗浄方法、並びに洗濯洗剤に関する。
【背景技術】
【０００２】
消泡剤の適用は、洗剤組成物の分野の技術において周知である。洗剤は、イオン性又は非イオン性界面活性剤を含有し、界面活性剤は、その強力な膜形成能力のために発泡剤として作用する。そのような界面活性剤の泡は、大きな内部表面を有し、したがって、浄化及び洗浄プロセスにおいて有利となる強力な吸着能力を有する。しかし、過剰な泡形成を回避し、洗浄プロセス後の泡の除去を容易にするため、洗剤組成物は通常、消泡剤を含有する。
【０００３】
消泡剤又は泡立ち防止剤は、泡の形成を低減又は阻害する添加剤である。消泡剤は、望ましくない泡の形成を抑制すると共に、既存の泡を破壊することができる、表面活性の高い化学配合物である。洗剤の分野では、シリコーン及びアルコールアルコキシラート消泡剤が一般に使用されている。ただし、シリコーン消泡剤は、主洗浄サイクルにおいて既に活性があり、形成された泡を非常に迅速に破壊する。他方、アルコールアルコキシラート消泡剤は、主サイクルでは泡体積を減少させないが、すすぎサイクル中に泡は十分に破壊されない。
【０００４】
したがって、本技術分野において、洗浄プロセス内の所望の時期に泡を破壊する消泡剤に対する必要性が存在する。主サイクル中に既に起こる泡の減少は、洗剤の負の特性とみなされ、したがって、望ましくなく、これは、とりわけ手洗い用の洗濯洗剤の場合に当てはまる。したがって、消泡剤の効果は、後に続くすすぎサイクル中にのみ現れて、消泡プロセスを加速することが望ましい。
【発明の概要】
【発明が解決しようとする課題】
【０００５】
したがって、本発明の目的は、主洗浄サイクル中では泡体積に影響を与えないが、すすぎサイクル中では泡を効果的に破壊する消泡剤を提供することである。
【課題を解決するための手段】
【０００６】
前述及び他の目的は、本発明の主題によって解決される。
【０００７】
本発明の第1の態様によると、少なくとも2.0g/Lの洗剤及び式(I)
R1OOC-Z-COOR2 (I)
(式中、
R1及びR2は、互いに独立してC1〜C20分枝アルキル、C5〜C10シクロアルキル又はC5〜C14アリール若しくはヘテロアリールから選択され、異なっていても同一であってもよく、後者が好ましく、
リンカーZは、二価の脂肪族又は芳香族基、例えばn=1〜20である-(CH2)n-、
【化１】
2020536155.tif 000003
から選択される)
の化合物である少なくとも1種の消泡剤を含む泡形成水性組成物であって、洗剤と消泡剤との比が19:1〜35:1の範囲である、
泡形成水性組成物が提供される。
【０００８】
発明者らは、驚くべきことに、少なくとも2.0g/Lの洗剤及び式(I)の化合物である少なくとも1種の消泡剤を含む組成物の撹拌が、消泡剤が組成物中に存在するという事実にもかかわらず、安定した泡の形成をもたらすことを発見した。
【０００９】
本発明の更なる態様によると、消泡剤は、23〜35mN/mの範囲の表面張力を有する。
【００１０】
本発明の第2の態様によると、少なくとも2.0g/Lの洗剤及び23〜35mN/mの範囲の表面張力を有する少なくとも1種の消泡剤を含む泡形成水性組成物が提供される。
【００１１】
驚くべきことに、25〜32mN/mの範囲の表面張力を有する消泡剤が、洗剤濃度が2.0g/L以上である場合に安定した泡の形成を可能にし、洗剤濃度を0.7g/L以下に低下させた場合に泡を破壊することが発見された。
【００１２】
本発明の別の態様によると、消泡剤は、フタル酸エステル、アジピン酸エステル、シクロヘキサンジカルボン酸エステル又はそれらの混合物から選択される。
【００１３】
消泡剤は、フタル酸ジイソノニル、フタル酸ジ-2-プロピル-ヘプチル、シクロヘキサンジカルボン酸ジイソノニルエステル、アジピン酸ジ-2-エチルヘキシルエステル、アジピン酸ジイソノニルエステル又はそれらの混合物から選択されることがとりわけ好ましい。
【００１４】
本発明の別の態様によると、洗剤は、直鎖アルキルベンゼンスルホン酸塩、アルキルエーテル硫酸塩、アルキル硫酸塩又はそれらの混合物から選択される。
【００１５】
本発明の更なる態様によると、先に定義した通りの泡形成組成物から得られる泡が提供される。
【００１６】
本発明の更に別の態様によると、本発明は、少なくとも2.0g/Lの洗剤及び先に定義した通りの消泡剤を含む泡形成水性組成物を用意するステップ、泡形成が起こるように泡形成組成物を撹拌する主洗浄サイクルのステップ、並びにそれに続く洗剤濃度が0.7g/L以下に減少するように組成物を希釈するすすぎサイクルのステップを含む、洗浄方法に関する。
【００１７】
本発明の更なる態様によると、主洗浄サイクルにおいて得られる泡の体積は、主洗浄サイクル中では、消泡剤を何ら含まない同一洗剤濃度の水性組成物と比較して10%を超えて減少せず、それに続くすすぎサイクル中では、主洗浄サイクルにおいて得られる初期の泡体積と比較して少なくとも80%減少する。
【００１８】
本発明の更なる態様によると、95〜99.5wt.-%の洗剤並びに0.5〜5.0wt.-%の、先に定義した通りの式(I)の及び/又は23〜35mN/mの範囲の表面張力を有する少なくとも1種の消泡剤を含む、洗濯洗剤が提供される。
【００１９】
洗濯洗剤の消泡剤は、フタル酸エステル、アジピン酸エステル、シクロヘキサンジカルボン酸エステル又はそれらの混合物から選択されることが好ましい。
【００２０】
特に、洗濯洗剤の消泡剤は、フタル酸ジイソノニル、フタル酸ジ-2-プロピル-ヘプチル、シクロヘキサンジカルボン酸ジイソノニルエステル、アジピン酸ジ-2-エチルヘキシルエステル、アジピン酸ジイソノニルエステル又はそれらの混合物から選択されることが好ましい。
【００２１】
前記洗濯洗剤は、手洗い用の洗濯洗剤であることがとりわけ好ましい。
【００２２】
以下、本発明をより詳細に説明する。
【発明を実施するための形態】
【００２３】
少なくとも2.0g/Lの洗剤及び式(I)
R1OOC-Z-COOR2 (I)
(式中、
R1及びR2は、互いに独立してC1〜C20分枝アルキル、C5〜C10シクロアルキル又はC5〜C14アリール若しくはヘテロアリールから選択され、異なっていても同一であってもよく、後者が好ましく、
リンカーZは、二価の脂肪族又は芳香族基、例えばn=1-20である-(CH2)n-、
【化２】
2020536155.tif 000004
から選択される)
の化合物である少なくとも1種の消泡剤を含む泡形成水性組成物であって、
洗剤と消泡剤との比が19:1〜35:1の範囲である、泡形成水性組成物が提供される。
【００２４】
驚くべきことに、本発明者らによって、少なくとも2.0g/Lの洗剤及び式(I)の化合物である少なくとも1種の消泡剤を含む組成物の撹拌が、消泡剤が組成物中に存在するという事実にもかかわらず、安定した泡の形成をもたらすことが発見された。その後洗剤濃度が0.7g/L以下に低下するように組成物を希釈すると、泡体積は大幅に減少する。したがって、式(I)の化合物である消泡剤は、主洗浄サイクル中は活性ではなく、安定した泡の形成を可能とすることが判明した。しかし、すすぎサイクルにおいて洗浄液を希釈すると、前記消泡剤は、主洗浄サイクル中に形成された泡を破壊することができる。したがって、本発明による泡形成組成物は、主洗浄サイクルでは安定しているが、すすぎサイクルでは容易に除去可能な泡の形成が望まれる場合に適用可能である。
【００２５】
本明細書において使用した場合、「洗剤」という用語は、水溶液中で浄化特性を持つ界面活性剤又は界面活性剤組成物を含む組成物に関する。界面活性剤又は界面活性剤組成物を別とすると、洗剤の典型的な成分は、硬水軟化剤、漂白剤、酵素、腐食防止剤、染料移行防止剤、再沈着防止剤、蛍光増白剤、柔軟仕上剤、着色剤及び香料である。
【００２６】
本明細書において使用した場合、「界面活性剤」という用語は、極性親水性部分及び無極性疎水性部分を含み、したがって、両親媒性特性を有する化合物に関する。界面活性剤の電荷に応じ、アニオン性、カチオン性及び非イオン性、又は両性イオン性界面活性剤に分類される。
【００２７】
本明細書において使用した場合、「主洗浄サイクル」という用語は、洗浄液中の洗剤濃度が少なくとも2.0g/Lである洗浄サイクルに関する。
【００２８】
本明細書において使用した場合、「すすぎサイクル」という用語は、洗浄液中の洗剤濃度が0.7g/L以下である洗浄サイクルに関する。
【００２９】
本明細書において使用した場合、「洗浄液」という用語は、織物又は布地及びそこに含有されている汚れと接触する洗剤を含む実用溶液に関する。洗浄液は通常、洗浄プロセスの開始時に、洗濯機又は適切な容器において洗剤を水で希釈した場合に生成される。
【００３０】
したがって、本発明の好ましい実施形態によると、本発明の泡形成水性組成物は、洗浄液である。
【００３１】
本明細書において使用した場合、「泡」という用語は、流体、半液体又は高粘性のセル壁によって制限された気体が充満した球形又は多面体のセルを含むコロイド系に関する。泡の形成は、膜形成が可能な表面活性化合物によって促進される。そのような表面活性化合物は、発泡剤とも呼ばれる。水溶液中の典型的な発泡剤は、界面活性剤である。
【００３２】
本明細書において使用した場合、「消泡剤」という用語は、泡セルのセル壁を破壊することにより泡の形成を阻害する及び/又は既存の泡を破壊する、低い表面張力を有する添加剤に関する。
【００３３】
式(I)の化合物は、所望の活性プロファイルを示す、即ち、主洗浄サイクルにおいては泡体積に対する影響が低く、すすぎサイクルにおいては効果的に泡を減少させる消泡剤であることが判明した。
【００３４】
本発明の好ましい実施形態によると、消泡剤は、フタル酸エステル、アジピン酸エステル、シクロヘキサンジカルボン酸エステル又はそれらの混合物から選択される。
【００３５】
消泡剤は、フタル酸、アジピン酸又はシクロヘキサンジカルボン酸のC1〜C20分枝アルキル、C5〜C10シクロアルキル及び/又はC5〜C14アリール若しくはヘテロアリールジエステルから選択されることが特に好ましく、ここで、前記ジエステルは、混合ジエステル又は非混合ジエステルであり、後者が好ましい。
【００３６】
更により好ましくは、消泡剤は、フタル酸、アジピン酸又はシクロヘキサンジカルボン酸の非混合C6〜C15分枝アルキルジエステルから選択される。
【００３７】
消泡剤は、フタル酸ジイソノニル、フタル酸ジ-2-プロピル-ヘプチル、シクロヘキサンジカルボン酸ジイソノニルエステル、アジピン酸ジ-2-エチルヘキシルエステル、アジピン酸ジイソノニルエステル又はそれらの混合物から選択されることがとりわけ好ましい。
【００３８】
本発明の別の実施形態によると、本発明による消泡剤は、特定の表面張力によって特徴付けられる。先に概説したように、消泡剤は、かなり低い表面張力を特徴とし、したがって、泡セルの壁を破壊することができる。本発明の泡形成組成物は、2.0g/L以上の洗剤濃度で安定した泡を形成することができるため、消泡剤は、2.0g/L以上の洗剤濃度では泡を破壊するのに十分ではない適度な表面張力を有することが必要である。
【００３９】
したがって、本発明による消泡剤は、23〜35mN/mの範囲、より好ましくは24〜34mN/mの範囲、更により好ましくは25〜32mN/mの範囲の表面張力を有することが好ましい。
【００４０】
前の段落に加えて、消泡剤は、アルコールアルコキシラートではないことが好ましい。
【００４１】
本発明の泡形成水性組成物は、少なくとも0.05g/L、より好ましくは少なくとも0.10g/L、更により好ましくは少なくとも0.12g/L、例えば少なくとも0.15g/Lの消泡剤を含有することが好ましい。
【００４２】
本発明の好ましい実施形態によると、洗剤は、直鎖アルキルベンゼンスルホン酸塩、アルキルエーテル硫酸塩、アルキル硫酸塩又はそれらの混合物から選択される。
【００４３】
したがって、洗剤は、好ましくは直鎖C8〜C30-アルキルベンゼンスルホン酸ナトリウム、C8〜C30-アルキルポリ(オキシエチレン)硫酸ナトリウム、C8〜C30-アルキル硫酸ナトリウム又はそれらの混合物から、より好ましくは直鎖C10〜C15-アルキルベンゼンスルホン酸ナトリウム、C10〜C15-アルキルポリ(オキシエチレン)硫酸ナトリウム、C10〜C15-アルキル硫酸ナトリウム又はそれらの混合物から選択される。
【００４４】
洗剤は、C10〜C13-ベンゼンスルホン酸ナトリウム、C12〜C14-ポリ(オキシエチレン)硫酸ナトリウム、C12〜C14-硫酸ナトリウム又はそれらの混合物から選択されることがとりわけ好ましい。
【００４５】
本発明の好ましい実施形態によると、本発明の泡形成水性組成物は、少なくとも2.0g/L、より好ましくは少なくとも3.0g/L、更により好ましくは少なくとも5.0g/Lの洗剤を含有する。
【００４６】
更に、消泡剤及び洗剤は、本発明の組成物中に特定の比で存在する。
【００４７】
特に、洗剤と消泡剤との比は、19:1〜35:1の範囲、好ましくは25:1〜35:1の範囲、より好ましくは30:1〜35:1の範囲である。
【００４８】
本発明の更なる実施形態によると、洗浄方法が提供され、前記洗浄方法は、少なくとも2.0g/Lの洗剤及び先に定義した通りの式(I)の化合物である消泡剤を含む泡形成水性組成物を用意するステップ、泡形成が起こるように泡形成組成物を撹拌する主洗浄サイクルのステップ、並びにそれに続く洗剤濃度が0.7g/L以下に減少するように組成物を希釈するすすぎサイクルのステップを含む。
【００４９】
本発明の洗浄方法で使用される消泡剤及び洗剤の定義は、上記の定義に対応する。
【００５０】
好ましくは、主洗浄サイクルにおける消泡剤濃度は、消泡剤が少なくとも0.05g/L、より好ましくは少なくとも0.10g/L、更により好ましくは少なくとも0.12g/L、例えば少なくとも0.15g/Lである。
【００５１】
更に、すすぎサイクルにおける消泡剤濃度は、消泡剤が0.005g/L以下、より好ましくは0.01g/L以下、更により好ましくは0.012g/L以下、例えば0.015g/L以下であることが好ましい。
【００５２】
本発明の好ましい実施形態によると、主洗浄サイクルにおける洗剤濃度は、洗剤が少なくとも2.0g/L、より好ましくは少なくとも3.0g/L、更により好ましくは少なくとも5.0g/Lである。
【００５３】
加えて、すすぎサイクルにおける洗剤濃度は、0.7g/L以下であることが好ましい。より好ましくは、すすぎサイクルにおける洗剤濃度は、0.2g/L以下、更により好ましくは0.3g/L以下、例えば0.5g/L以下である。
【００５４】
したがって、すすぎサイクルにおいて、泡形成水性組成物は、少なくとも10倍希釈されることが特に好ましい。
【００５５】
主洗浄サイクルにおいて、消泡剤及び少なくとも2.0g/Lの洗剤を含む泡形成組成物を撹拌するとすぐに、安定した泡が形成される。したがって、本発明の消泡剤は、2.0g/L以上の洗剤濃度では活性ではない。消泡剤は、結果として得られる洗剤濃度が0.7g/L以下となるように組成物を水で希釈することにより活性化することができる。低洗剤濃度では、先行する洗浄サイクルにおいて生成される泡が大幅に減少することが観察された。
【００５６】
特に、主洗浄サイクルにおいて得られる泡の体積は、主洗浄サイクル中では、消泡剤を何ら含まない同一洗剤濃度の水性組成物と比較して10%を超えて減少せず、それに続くすすぎサイクル中では、主洗浄サイクルにおいて得られる初期の泡体積と比較して少なくとも80%減少する。
【００５７】
より好ましくは、主洗浄サイクルにおいて得られる泡の体積は、主洗浄サイクル中では、消泡剤を何ら含まない同一洗剤濃度の水性組成物と比較して8%を超えて減少せず、それに続くすすぎサイクル中では、主洗浄サイクルにおいて得られる初期の泡体積と比較して少なくとも85%減少する。
【００５８】
主洗浄サイクルにおいて得られる泡の体積は、主洗浄サイクル中では、消泡剤を何ら含まない同一洗剤濃度の水性組成物と比較して7%を超えて減少せず、それに続くすすぎサイクル中では、主洗浄サイクルにおいて得られる初期の泡体積と比較して少なくとも90%減少することがとりわけ好ましい。
【００５９】
更に、95〜99.5wt.-%の洗剤及び0.5〜5.0wt.-%の先に定義した通りの式(I)の化合物である消泡剤を含む洗濯洗剤が提供される。
【００６０】
本明細書において使用した場合、「洗濯洗剤」という用語は、少なくとも1種の洗剤を含む以下に定義した通りの乾燥又は液体配合物に関する。
【００６１】
本発明の洗濯洗剤は、好ましくは洗剤及び消泡剤を19:1〜35:1、より好ましくは25:1〜35:1の範囲、更により好ましくは30:1〜35:1の範囲の比で含む。
【００６２】
好ましい実施形態によると、洗濯洗剤の消泡剤は、フタル酸エステル、アジピン酸エステル、シクロヘキサンジカルボン酸エステル又はそれらの混合物から選択される。
【００６３】
より好ましくは、洗濯洗剤の消泡剤は、フタル酸、アジピン酸又はシクロヘキサンジカルボン酸のC1〜C20分枝アルキル、C5〜C10シクロアルキル及び/又はC5〜C14アリール若しくはヘテロアリールジエステルから選択され、ここで、前記ジエステルは、混合ジエステル又は非混合ジエステルであり、後者が好ましい。
【００６４】
洗濯洗剤の消泡剤は、フタル酸、アジピン酸又はシクロヘキサンジカルボン酸の非混合C6〜C15分枝アルキルジエステルから選択されることが特に好ましい。
【００６５】
消泡剤は、フタル酸ジイソノニル、フタル酸ジ-2-プロピル-ヘプチル、シクロヘキサンジカルボン酸ジイソノニルエステル、アジピン酸ジ-2-エチルヘキシルエステル、アジピン酸ジイソノニルエステル又はそれらの混合物から選択されることがとりわけ好ましい。
【００６６】
前の段落に加えて、又は前の段落に代えて、洗濯洗剤の消泡剤は、23〜35mN/mの範囲、より好ましくは24〜34mN/mの範囲、更により好ましくは25〜32mN/mの範囲の表面張力を特徴とする。
【００６７】
洗濯洗剤は、95〜99.5wt.-%の洗剤及び0.5〜5.0wt.-%の消泡剤、より好ましくは96〜98wt.-%の洗剤及び2.0〜4.0wt.-%の消泡剤、更により好ましくは96.5〜97wt.-%の洗剤及び3.0〜3.5wt.-%の消泡剤を含む。
【００６８】
洗剤及び消泡剤を別とすると、本発明による洗濯洗剤は、洗濯洗剤に通常適用される更なる添加剤を含んでもよい。そのような添加剤の非限定例は、硬水軟化剤、漂白剤、酵素、腐食防止剤、染料移行防止剤、再沈着防止剤、蛍光増白剤、柔軟仕上剤、着色剤及び香料である。
【００６９】
本発明の洗濯洗剤は、好ましくは、先に定義した通りの泡形成水性組成物の調製に適用可能である。特に、本発明による泡形成水性組成物は、本発明の洗濯洗剤を洗剤濃度が2.0g/L以上となるように水で希釈することによって得られる。
【００７０】
したがって、本発明による泡形成組成物は、先に言及した添加剤を更に含有してもよい。
【００７１】
本発明の洗濯洗剤は、好ましくは、乾燥又は液体配合物に配合される。
【００７２】
「乾燥配合物」という用語は、本明細書において使用した場合、粉末、顆粒又はタブレットの形態の配合物を指す。当然ながら、「乾燥配合物」は、配合物の全重量を基準として20wt.-%以下、より好ましくは15wt.-%以下、更により好ましくは10wt.-%以下、最も好ましくは7.5wt.-%以下の水分含有量を有する。別段の指示がない場合、水分含有量は、DIN EN13267:2001に概説されているカールフィッシャー法に従い判定される。乾燥配合物が粉末の形態で提供される場合、配合物は、好ましくは400g/Lを超える、より好ましくは500g/Lを超える、更により好ましくは600g/Lを超えるバルク密度を有する高濃縮粉末配合物である。
【００７３】
「液体配合物」という用語は、本明細書において使用した場合、「注入可能な液体」、「ゲル」又は「ペースト」の形態の配合物を指す。
【００７４】
「注入可能な液体」は、25℃で20sec-1のせん断速度で3000mPa・s未満の粘度を有する液体配合物を指す。例えば、注入可能な液体は、25℃で20sec-1のせん断速度で200〜2000mPa・s、好ましくは200〜1500mPa・s、最も好ましくは200〜1000mPa・sの範囲の粘度を有する。
【００７５】
「ゲル」は、25℃で20sec-1のせん断速度で2000mPa・sを超える粘度を有する透明又は半透明の液体配合物を指す。例えば、ゲルは、0.1sec-1のせん断速度で2000〜約10000mPa・s、好ましくは5000〜10000mPa・sの範囲の粘度を有する。
【００７６】
「ペースト」は、25℃で20sec-1のせん断速度で約2000mPa・sを超える粘度を有する不透明な液体配合物を指す。例えば、ペーストは、25℃で0.1sec-1のせん断速度で3000〜10000mPa・s、好ましくは5000〜10000mPa・sの範囲の粘度を有する。
【００７７】
手洗い用の洗濯洗剤の分野において、先行技術による消泡剤が適用される場合に起こる主洗浄サイクルにおける泡の減少は、特に望ましくない。したがって、本発明の泡形成組成物は、手洗い用の洗濯洗剤での使用に特に有利である。
【００７８】
本発明による洗濯洗剤は、手洗い用の洗濯洗剤であることがとりわけ好ましい。
【００７９】
本発明の範囲及び関心は、本発明のある特定の実施形態を例示することを意図し、非限定的である下記の実施例に基づきよりよく理解される。
【実施例】
【００８０】
消泡剤によって異なる主洗浄サイクル及びすすぎサイクルにおける泡の安定性を判定するために下記の試験を行った。
【００８１】
洗剤組成物
下記の例において使用した洗剤組成物は、下記の化合物を含む:
20wt.-%のC10-C13-アルキルベンゼンスルホン酸ナトリウム(NaLAS)
40wt.-%の炭酸ナトリウム
40wt.-%の硫酸ナトリウム
【００８２】
装置
洗浄プロセスのシミュレーションのため、2000mL PE-ビーカー、撹拌ユニット(IKA RW20)、rpmカウンタ(IKA-TronDZM1)及び0.1cmのブレード厚さを有するステンレス鋼製アンカー撹拌器を含む装置を使用した。
【００８３】
消泡剤
下記の化合物の消泡特性の試験を行った。
【００８４】
【表１】
2020536155.tif 000005
【００８５】
物質について、EN14370に従い表面張力をそのままの状態で判定した。
【００８６】
典型的には、主洗浄サイクル及び洗濯物の絞り出しの後、洗濯物に残っている洗浄液は真水で10倍希釈される。これを、使用した化合物を10倍希釈することによりシミュレートする。
【００８７】
主洗浄サイクルのシミュレーション
ビーカーに400mLの洗浄液(洗剤濃度5.0g/L、水硬度10°dH、Ca2+のみ)を満たし、0.15g/Lの濃度に相当する0.06gの消泡剤を添加する。撹拌ブレードの上端が混合物から約2.3cm突出するようにアンカー撹拌器を混合物に浸す。混合物を400rpmで1分間撹拌し、更に1分後、泡体積を測定する。
【００８８】
すすぎサイクルのシミュレーション
ビーカーに400mLの洗浄液(洗剤濃度0.5g/L、水硬度10°dH、Ca2+のみ)を満たし、0.015g/Lの濃度に相当する0.006gの消泡剤を添加する。撹拌ブレードの上端が混合物から約2.3cm突出するようにアンカー撹拌器を混合物に浸す。混合物を400rpmで1分間撹拌し、更に1分後、泡体積を測定する。
【００８９】
結果
【００９０】
【表２】
2020536155.tif 000006
【００９１】
本発明の消泡剤A〜Eは、泡が主洗浄サイクルにおいて影響を受けず、すすぎサイクルにおいて著しく減少するという所望の挙動を明らかに示した。
【国際調査報告】
2020536155.tif 000011
2020536155.tif 000012
2020536155.tif 000013